(57)【要約】  ハウジング１２を持つ口腔ケア装置１０のための駆動トレインアセンブリ２２であって、駆動トレインアセンブリの円周周りに対称的に配置され、各々が両端において固定された、複数の細長いリーフスプリングアセンブリ５０と、複数の細長いリーフスプリングアセンブリを囲むリング４６と、を有し、リングは、複数の細長いリーフスプリングアセンブリの各々に固定的に接続されるとともに、口腔ケア装置のハウジングに固定的に接続される。
2019518535.tif 000002
【特許請求の範囲】
【請求項１】
ハウジングを持つ口腔ケア装置のための駆動トレインアセンブリであって、
前記駆動トレインアセンブリの円周周りに対称的に配置され、各々が両端において固定された、複数の細長いリーフスプリングアセンブリと、
前記複数の細長いリーフスプリングアセンブリを囲むリングと、
を有し、
前記リングは、前記複数の細長いリーフスプリングアセンブリの各々に固定的に接続されるとともに、前記口腔ケア装置の前記ハウジングに固定的に接続されている、駆動トレインアセンブリ。
【請求項２】
第１の端部マウントと第２の端部マウントとを更に有し、前記複数の細長いリーフスプリングが、第１の端部において前記第１の端部マウントに固定されるとともに第２の端部において前記第２の端部マウントに固定される、請求項１記載の駆動トレインアセンブリ。
【請求項３】
ブラシヘッド部材と係合するように構成された伝達コンポーネントを更に有する、請求項１記載の駆動トレインアセンブリ。
【請求項４】
前記リングが、各リーフスプリングの長さの略中央において前記複数の細長いリーフスプリングの各々に固定的に接続される、請求項１記載の駆動トレインアセンブリ。
【請求項５】
前記複数の細長いリーフスプリングアセンブリが、３つの対称的なリーフスプリングアセンブリを有する、請求項１記載の駆動トレインアセンブリ。
【請求項６】
前記複数の細長いリーフスプリングアセンブリが、チタンを有する、請求項１記載の駆動トレインアセンブリ。
【請求項７】
前記駆動トレインアセンブリが、３Ｄプリンティングによって製造された単一の一体的コンポーネントを有する、請求項１記載の駆動トレインアセンブリ。
【請求項８】
口腔ケア装置であって、
ハウジングと、
円周周りに対称的に配置される複数の細長いリーフスプリングアセンブリを有する駆動トレインアセンブリであって、前記複数の細長いリーフスプリングアセンブリの各々が両端において固定される前記駆動トレインアセンブリと、
前記複数の細長いリーフスプリングアセンブリを囲むリングと、
を有し、
前記リングは、前記複数の細長いリーフスプリングアセンブリの各々に固定的に接続されるとともに、前記口腔ケア装置の前記ハウジングに固定的に接続されている、口腔ケア装置。
【請求項９】
前記駆動トレインアセンブリが、第１の端部マウント及び第２の端部マウントを更に有し、前記複数の細長いリーフスプリングアセンブリが、第１の端部において前記第１の端部マウントに固定されるとともに第２の端部において前記第２の端部マウントに固定される、請求項８記載の口腔ケア装置。
【請求項１０】
前記駆動トレインアセンブリが、ブラシヘッド部材と係合するように構成された伝達コンポーネントを更に有する、請求項８記載の口腔ケア装置。
【請求項１１】
前記リングが、各リーフスプリングの長さの略中央において前記複数の細長いリーフスプリングの各々に固定的に接続される、請求項８記載の口腔ケア装置。
【請求項１２】
前記複数の細長いリーフスプリングアセンブリが、３つの対称的なリーフスプリングアセンブリを有する、請求項８記載の口腔ケア装置。
【請求項１３】
前記複数の細長いリーフスプリングアセンブリが、チタンを有する、請求項８記載の口腔ケア装置。
【請求項１４】
前記駆動トレインアセンブリが、３Ｄプリンティングによって製造された単一の一体的コンポーネントを有する、請求項８記載の口腔ケア装置。
【請求項１５】
ハウジングを持つ口腔ケア装置のための３Ｄプリントされた駆動トレインアセンブリであって、
前記駆動トレインアセンブリの円周周りに対称的に配置され、各々が両端において固定された、複数の細長いリーフスプリングアセンブリと、
第１の端部マウント及び第２の端部マウントであって、前記複数の細長いリーフスプリングアセンブリが第１の端部において前記第１の端部マウントに固定されるとともに第２の端部において前記第２の端部マウントに固定される前記第１の端部マウント及び第２の端部マウントと、
前記第２の端部マウントから延在するとともにヘッド部材と係合するように構成された伝達コンポーネントと、
前記複数の細長いリーフスプリングアセンブリを囲むリングと、
を有し、
前記リングは、各リーフスプリングの長さの略中央において前記複数の細長いリーフスプリングの各々に固定的に接続され、前記口腔ケア装置の前記ハウジングに固定的に接続される、３Ｄプリントされた駆動トレインアセンブリ。
【発明の詳細な説明】
【技術分野】
【０００１】
本開示は、概して、複数のリーフスプリングを持つパーソナルケア装置駆動トレイン構成に関する。
【背景技術】
【０００２】
ブラッシングの長さとカバー率を含む適切な歯磨きは、長期的な歯の健康を確保するのに役立つ。多くの歯の問題は、定期的に歯磨きをしないか、あるいは、口腔の特定の領域又は区画において、不適切に行なう人が経験する。ブラッシングを定期的に行なう個人の間では、不適切なブラッシング習慣は、標準的なブラッシング養生法が遵守されていても、ブラッシングの範囲が悪く、従って洗浄セッション中に適切に洗浄されない表面をもたらす可能性がある。電動歯ブラシなどの電気清掃装置は、洗浄セッションの効率を大幅に向上させることが示されている。
【０００３】
電動歯ブラシ、シェーバ、及び、類似の装置を含むこれらの電気清掃装置は、振動、往復、又は、他のパターンでブラシヘッドを駆動するために駆動トレインに係合する機械的、電気機械的、磁気的モータなどのモータを有する。或るタイプの駆動トレイン装置は、両端に取り付けられたばねを使用する。幾つかの構成では、２つの端部の間のほぼ中間の長さにノードポイントがあり、幾つかのばねはＶ字型である。
【発明の概要】
【発明が解決しようとする課題】
【０００４】
しかしながら、これらのばね構成は、フレッティング疲労の結果として破損しがちであり、ばねのクランプされた端部の界面における反復力が、ばね及びクランプに応力を生じさせる。時間が経つと、１又は複数の部品が故障する可能性がある。加えて、ばねが両端に取り付けられているばね構成では、部品が多種多様であり、部品コスト、製造コスト、生産時間が増加する。
【０００５】
従って、より少ない部品しか持たず、一体化されたリーフスプリングアセンブリを含むパーソナルケア装置の駆動トレイン構成が引き続き必要である。これにより、応力及び疲労に対する回復力が増大される。
【課題を解決するための手段】
【０００６】
本開示は、複数の一体化されたリーフスプリング（板ばね）を備える本発明の駆動トレインアセンブリに関する。電動歯ブラシ又はシェーバなどの電気又は電動パーソナルケア装置に適用される本発明のシステムは、より効率的でより耐性のある１又は２ピース駆動トレインアセンブリを提供する。駆動トレインアセンブリは、３つの細長いリーフスプリングと固定された中央に位置するリングとを備えた３Ｄプリント金属構造を特徴としている。
【０００７】
一般に、一態様では、口腔ケア装置のための駆動トレインアセンブリが提供される。駆動トレインアセンブリは、駆動トレインアセンブリの周囲に対称的に配置され、各々が両端において固定された複数の細長いリーフスプリングと、複数の細長いリーフスプリングを囲むリングと、を含み、当該リングが、複数の細長いリーフスプリングの各々に固定的に接続されるとともに口腔ケア装置のハウジングに固定的に接続されている。
【０００８】
一実施形態によれば、駆動トレインアセンブリは、第１の端部マウント及び第２の端部マウントを更に有し、複数の細長いリーフスプリングは、第１の端部において第１の端部マウントに固定され、第２の端部において第２の端部マウントに固定される。
【０００９】
一実施形態によれば、駆動トレインアセンブリは、ブラシヘッドアセンブリと係合するように構成されたマウントを更に有する。
【００１０】
一実施形態によれば、リングは、各リーフスプリングの長さの略中央において複数の細長いリーフスプリングの各々に固定的に接続される。
【００１１】
一実施形態によれば、駆動トレインアセンブリは、３つの対称的なリーフスプリングアセンブリを有する。
【００１２】
一実施形態によれば、複数の細長いリーフスプリングは、チタンを有する。
【００１３】
一実施形態によれば、駆動トレインアセンブリは、３Ｄプリントにより製造された単一の一体的コンポーネントを有する。
【００１４】
一態様によれば、口腔ケア装置が提供される。口腔ケア装置は、ハウジングと、駆動トレインアセンブリの周囲に対称的に配置され、各々が両端において固定される複数の細長いリーフスプリング、及び、複数の細長いリーフスプリングを囲むリングを有する駆動トレインアセンブリと、を含み、当該リングが、複数の細長いリーフスプリングの各々に固定的に接続されるとともに口腔ケア装置のハウジングに固定的に接続される。
【００１５】
一態様によれば、口腔ケア装置のための３Ｄプリントされた駆動トレインアセンブリが提供される。当該３Ｄプリントされた駆動トレインアセンブリは、駆動トレインアセンブリの円周周りに対称的に配置され、各々が両端において固定された、複数の細長いリーフスプリングアセンブリと、第１の端部マウント及び第２の端部マウントであって、前記複数の細長いリーフスプリングアセンブリが第１の端部において前記第１の端部マウントに固定されるとともに第２の端部において前記第２の端部マウントに固定される前記第１の端部マウント及び第２の端部マウントと、前記第２の端部マウントから延在するとともにブラシヘッド部材と係合するように構成されたブラシヘッドマウントと、前記複数の細長いリーフスプリングアセンブリを囲むリングと、を含み、前記リングは、各リーフスプリングの長さの略中央において前記複数の細長いリーフスプリングの各々に固定的に接続され、前記口腔ケア装置の前記ハウジングに固定的に接続される。
【００１６】
前述の概念及び以下でより詳細に論じられる追加の概念（そのような概念が相互に矛盾しないことを条件とする）の全ての組み合わせが、本明細書に開示された発明要旨の一部であると考えられることを理解されたい。特に、本開示の最後に現れる主張される主題の全ての組み合わせは、本明細書で開示される本発明の主題の一部であると考えられる。
【００１７】
本発明のこれら及び他の態様は、以下に記載される１又は複数の実施形態を参照して明らかになるであろう。
【図面の簡単な説明】
【００１８】
図中、同様の参照符号は、一般的に、異なる図面を通じて同じ部分を表す。また、図面は、原寸通りではなく、代わりに、本発明の原理を図示するにあたって強調されている。
【図１】図１は、一実施形態に係る口腔ケア装置の概略図である。
【図２】図２は、一実施形態に係る口腔ケア装置の駆動トレインアセンブリの概略図である。
【図３】図３は、一実施形態に係る口腔ケア装置の駆動トレインアセンブリの概略的な断面図である。
【図４】図４は、一実施形態に係る口腔ケア装置の駆動トレインアセンブリのためのリーフスプリングの概略図である。
【図５】図５は、一実施形態に係る口腔ケア装置の駆動トレインアセンブリの断面の概略図である。
【図６】図６は、一実施形態に係る口腔ケア装置の駆動トレインアセンブリの断面の概略図である。
【図７】図７は、一実施形態に係る口腔ケア装置の駆動トレインアセンブリの断面の概略図である。
【図８】図８は、一実施形態に係る口腔ケア装置の駆動トレインアセンブリの断面の概略図である。
【発明を実施するための形態】
【００１９】
本開示は、電気パーソナルケア装置のための駆動トレインアセンブリのための装置の様々な実施形態を記載する。より一般的には、本出願人は、応力に対してより効率的且つより耐性のある１又は２個のばねアセンブリを提供することが有益であることを発見し、認識している。従って、本明細書に記載されているか、そうでなければ構想されるシステムは、固定された中央に位置するリングによって囲まれた複数のリーフスプリングを含む駆動トレインばねアセンブリを備えた電動歯ブラシ又はシェーバなどのパーソナルケア装置を提供する。一実施形態によれば、駆動トレインばねアセンブリは、３Ｄプリントされた金属構造を特徴とする。
【００２０】
本明細書の実施形態及び実施例の利用の特定の目標は、例えば、（Koninklijke Philips Electronics、NVによって製造される）Philips Sonicare（登録商標）歯ブラシのような口腔ケア装置用の駆動トレインばねアセンブリを提供することであるが、当該アセンブリは、多くの他のパーソナルケア装置と一緒に使用され得る。
【００２１】
図１によれば、一実施形態において、本体部分ハウジング１２と、本体部分上にマウントされたブラシヘッド部材１４と、を含む口腔ケア装置１０が提供される。ブラシヘッド部材１４は、本体部分から離れた端部にブラシヘッド１６を含む。ブラシヘッド１６は、複数の毛を提供する毛面１８を含む。一実施形態によれば、毛は、ヘッドの伸長軸に対して実質的に垂直な軸に沿って延びているが、多くの他の実施形態のブラシヘッド及び毛も可能である。
【００２２】
ヘッド部材１４は、本体部分ハウジング１２に対して動くことができるように取り付けられる。この動きは、とりわけ、振動又は回転を含む様々な異なる動きのいずれかであり得る。一実施形態によれば、ヘッド部材１４は、本体部分ハウジング１２に対して振動することができるように本体に取り付けられているか、又は別の例として、ブラシヘッド１６が本体部分ハウジング１２に対して振動することができるように取り付けられている。ブラシヘッド部材１４は、本体部分ハウジング１２上に固定して取り付けられ得るか、又は、ブラシヘッド部材１４が毛又は装置の他の構成要素が消耗して交換が必要となった場合に新しいものと交換され得るように取り外し可能に取り付けられていてもよい。
【００２３】
本体部ハウジング１２には、運動を発生させるための駆動トレイン２２と、発生した運動をブラシヘッド部材１４に伝達するための伝達コンポーネント２４が組み込まれている。例えば、駆動トレイン２２は、あとでブラシヘッド部材１４に伝達されるばねアセンブリの運動を生成するモータ又は電磁石を有する。駆動トレイン２２は、電源、発振器、及び、１又は複数の電磁石などの構成要素を他の構成要素の中に含むことができる。この実施形態では、電源は、例えば、口腔ケア装置１０が使用されていないときに置かれる充電ホルダ内に電気的に充電され得る１又は複数の充電式電池（図示せず）を備える。
【００２４】
本体部分ハウジング１２は、駆動トレイン２２を活性化及び非活性化させるためのユーザ入力部２６を更に備える。ユーザ入力部２６は、ユーザが、口腔ケア装置１０を作動可能にする。例えば、口腔ケア装置１０をオン・オフできるようにする。ユーザ入力部２６は、例えば、ボタン、タッチスクリーン、又は、スイッチであってもよい。
【００２５】
また、装置の本体部分ハウジングは、コントローラ３０を有する。コントローラ３０は、１又は複数のモジュールで形成され、ユーザ入力部２６を介して得られる入力などの入力に応答して口腔ケア装置１０を操作するように構成されている。コントローラ３０は、例えば、プロセッサ３２及びメモリ３４を有することができ、オプションで、接続モジュール３８を含むことができる。プロセッサ３２は、マイクロコントローラ、複数のマイクロコントローラ、回路、単一のプロセッサ、又は、複数のプロセッサを含むがこれらに限定されない任意の形態をとることができる。メモリ３４は、不揮発性メモリ及び／又はＲＡＭを含む任意の形態をとることができる。不揮発性メモリは、読み出し専用メモリ（ＲＯＭ）、ハードディスクドライブ（ＨＤＤ）、又は、ソリッドステートドライブ（ＳＳＤ）を含むことができる。メモリは、とりわけオペレーティングシステムを格納することができる。ＲＡＭは、プロセッサによってデータの一時記憶に使用される。一実施形態によれば、オペレーティングシステムは、コントローラ３０によって実行されると、口腔ケア装置１０のハードウェアコンポーネントの動作を制御するコードを含むことができる。一実施形態によれば、接続モジュール３８は、収集されたセンサデータを送信し、Wi-Fi（登録商標）、Bluetooth（登録商標）、近距離通信、及び／又は、セルラモジュールを含むがこれらに限定されない有線又は無線信号を送信することができる任意のモジュール、装置、又は、手段であってもよい。
【００２６】
図２によれば、一実施形態において、リーフスプリング領域４０を具備する駆動トレインアセンブリ２２が示されている。駆動トレインアセンブリ２２は、モータ（図示せず）によって駆動される第１の端部マウント４４を備える。駆動トレインアセンブリは、また、第２の端部マウント４８を含む。端部マウント４８から延びるのは、ヘッド部材１４を取り付けるための伝達コンポーネント２４である。一連のリーフスプリングアセンブリ５０は、それぞれの端部において端部マウント４４，４８に固定的にマウントされている。リーフスプリングアセンブリ５０のほぼ中心点（ノード点）には、固定リング４６が取り付けられており、固定リング４６は、その外縁部の１又は複数において口腔ケア装置のハウジング１２に固定的に取り付けられている。
【００２７】
図３によれば、一実施形態において、リーフスプリング領域４０を具備する駆動トレインアセンブリ２２が示されている。リーフスプリングアセンブリ５０Ａ，５０Ｂ，５０Ｃ（図５参照）は、駆動トレインアセンブリ２２の円周周りに長手方向に配置される。固定リング４６が、リーフスプリングアセンブリ５０のほぼ中心点（ノード点）に取り付けられている。駆動トレインアセンブリ２２の断面は、図３におけるセクション１、セクション２、及び、セクション３に対応する３つの異なる点１，２，３，で取られる。横断面は、セクション点１，２，３のそれぞれにおける駆動トレインアセンブリ２２の円周周りのリーフスプリングアセンブリ５０及び固定リング４６の配置をそれぞれ示している。一実施形態によれば、リーフスプリング領域４０は、図３及び図５に示されるように、駆動トレインアセンブリ２２の円周周りで対称である。
【００２８】
その長さに沿ったリーフスプリングアセンブリ５０のそれぞれの幾何学的形状が図４に示されている。この実施形態によれば、各リーフスプリングは、駆動トレインアセンブリ２２の第１の端部マウント４４及び第２の端部マウント４８において取り付けられている。この実施形態によれば、リーフスプリングアセンブリは、電動歯ブラシのばねアセンブリにおける伝統的なリーフスプリングよりもはるかに長くすることができる。例えば、図３に示されるリーフスプリングアセンブリ５０は、伝統的なリーフスプリングよりも２．５倍長くなり得る。
【００２９】
図２乃至図４におけるリーフスプリングアセンブリ５０は、実質的に真っ直ぐであるように描かれているが、それらは任意の形状であってもよい。例えば、本明細書に記載されているか、さもなければ想定されているリーフスプリングアセンブリ５０の１又は複数は、直線状、湾曲状、曲線状、及び／又は、他の任意の形状とすることができる。さらに、リーフスプリングアセンブリ５０は、その長さに沿って同じ厚さ又は異なる厚さを有することができる。一実施形態によれば、リーフスプリングアセンブリ５０は、例えば、その長さに亘って約０．３５ｍｍ〜０．５０ｍｍの単一の厚さであることができるが、それらの長さに沿って様々な異なる厚さを含むこともできる。
【００３０】
図５によれば、一実施形態における、図３の駆動トレインアセンブリ２２のセクションポイント２での断面図が示されている。リーフスプリング領域４０は対称であり、リーフスプリングアセンブリ５０Ａとリーフスプリングアセンブリ５０Ｂとリーフスプリングアセンブリ５０Ｃとを含み、それぞれが約１２０°離れている。各リーフスプリングアセンブリは、第１のセグメント５０´と第２のセグメント５０´´とを有するリーフスプリング５０を備える。各リーフスプリングアセンブリ５０は、また、固定リング４６への接続部を有する。
【００３１】
図６によれば、一実施形態における、駆動トレインの回転における図３及び図４からの駆動トレインアセンブリ２２のセクションポイント２における断面が示されている。固定リング４６は、固定され静止しており、リーフスプリングアセンブリ５０は、図６に示されるように、金属−金属接触が回転を停止させるようになるまで撓む。
【００３２】
図７及び図８によれば、他の実施形態において、駆動トレインアセンブリ２２の別の構成の断面が示されている。この駆動トレインアセンブリは、この実施形態では、リーフスプリング領域４０が対称であり、リーフスプリングアセンブリ５０Ａ、リーフスプリングアセンブリ５０Ｂ、リーフスプリングアセンブリ５０Ｃを含み、それぞれ約１２０度である。リーフスプリングアセンブリの各々は、第１のセグメント５０´、第２のセグメント５０´´、及び、第３のセグメント５０´´´を有するリーフスプリング部材５０を有する。従って、駆動トレイン２２の構成、ひいては駆動トレイン２２の断面は、多くの異なる構成を採用する。図８は、駆動トレインの回転における図７の駆動トレインアセンブリ２２の断面図である。一実施形態によれば、固定リング４６は、固定され静止しており、リーフスプリングアセンブリ５０は、金属−金属接触が回転を停止させるまで曲がる。
【００３３】
一実施形態によれば、駆動トレインアセンブリ２２の周波数モードは、小さなピークを含むことがあり、口腔ケア装置１０内又は上の望ましくない振動をもたらす可能性がある。これらの望ましくない振動は、駆動トレインアセンブリ２２の機能に影響を及ぼす可能性があり、口腔ケア装置１０の機能を向上させ、口腔ケア装置の寿命及び／又は効率を著しく低下させる可能性がある。駆動トレインアセンブリ２２の望ましくない振動を解決するために、駆動トレインアセンブリ２２及び／又は口腔ケア装置は、減衰ジェルを備えることができる。減衰ゲルは、リーフスプリング又は口腔ケア装置の他の構成要素の振動又は他の望ましくない運動又は動きを低減、吸収、又は、他の方法で最小化するのに適した任意のゲル又はポリマーであり得る。一実施形態によれば、リーフスプリング５０の一方又は両方の端部は、減衰ゲル構成要素を含む。例えば、１又は複数のリーフスプリングの第１及び／又は第２の端部は、駆動トレインアセンブリ２２の望ましくない振動を少なくとも部分的に解決するように構成及び配置された減衰ゲルで満たされたゲルホルダを備えることができる。
【００３４】
一実施形態によれば、駆動トレインアセンブリ２２は、３Ｄプリント技術を使用して製造される。３Ｄプリント方法は、駆動トレインアセンブリ２２の部品点数を１８個から１個又は２個まで減らすことにより、耐久性及び信頼性を高めながらコスト及び製造時間を短縮する。駆動トレインアセンブリ２２は、プラスチック、金属、及び、それらの組み合わせを含むが、これらに限定されない多種多様な材料から製造することができる。一実施形態によれば、駆動トレインアセンブリ２２は、十分な弾力性及び耐久性を提供するために、チタンの一部又は全部で構成される。さらに別の実施形態によれば、駆動トレインアセンブリ２２は、例えば、１又は複数の２Ｄレイヤに印刷するプリンタを使用して製造することができる。他の多くの製造方法が可能である。
【００３５】
本明細書で定義され使用されている全ての定義は、辞書定義、参照により組み込まれた文献の定義、及び／又は、定義された用語の通常の意味を制御すると理解されるべきである。
【００３６】
本明細書及び特許請求の範囲において使用される単数形は、明確に反対の指示がない限り、「少なくとも１つ」を意味すると理解されるべきである。
【００３７】
本明細書及び特許請求の範囲において使用される語句"及び／又は"は、そのように結合された複数の要素の"いずれか又は両方"、即ち、或る幾つかの場合には接続的に存在し、他の場合には分離的に存在する複数の要素を意味すると理解されるべきである。"及び／又は"と共に記載されている複数の要素は、同じ様式で、即ち、そのように結合された複数の要素のうちの"一つ又はそれ以上"と解釈されるべきである。他の複数の要素は、任意的に、「及び／又は」節によって具体的に特定された複数の要素以外に存在してもよく、それら具体的に特定された複数の要素と関連していても関連していなくてもよい。
【００３８】
本明細書及び特許請求の範囲において使用される"又は"は、上述の"及び／又は"と同じ意味を有するものと理解されるべきである。例えば、あるリスト内の複数の項目を分離させた場合に、"又は"又は"及び／又は"は包括的である、即ち、１又は複数の要素のリストのうちの少なくとも一つ（ただし一つよりも多くも含む）を含み、そして任意的に、追加的なリストにない複数の項目を含むものと解釈されるものとする。明確に反対の指示をする用語、例えば"一つのみ"又は"厳密に一つの"又は特許請求の範囲において使用される場合の"から成る"のみが、数又は複数の要素のリストのうちの厳密に１の要素を含むことを参照することができる。概して、本明細書において使用される"又は"は、例えば"〜のいずれか"、"〜のうちの一方"、"〜の一つのみ"、又は、"厳密に一つの"を伴う場合にのみ、排他的な代替手段（即ち、"一方又は他方であり、両方ではない"）を示すと解釈されるものとする。
【００３９】
本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。
【００４０】
また、反対の意味で明確に示されなければ、２以上のステップ又は動作を含む請求項中の任意の方法において、方法のステップ又は動作の順序は、記載の方法のステップ又は動作の順序に必ずしも限定されない。
【００４１】
明細書と同様に、請求項中、「有する」、「含む」、「運ぶ」、「持つ」、「包含する」、「取り込む」、「保持する」、「構成される」などの移行句は、オープンエンドである、即ち、含むが、これらに限定されないものとして理解されるべきである。「〜からなる」及び「実質的に〜からなる」という移行句のみが、それぞれ、クローズド又はセミクローズド移行句であるべきである。
【００４２】
本明細書では多様な実施形態が記載及び図示されたが、当業者は、本明細書に説明される機能を実行するための、並びに／又は、本明細書に説明される結果、及び／若しくは、１つ以上の利点を得るための他の多様な手段及び／若しくは構造を容易に想像し、かかる変形例及び／又は改変例は、本明細書で説明される発明の実施形態の範囲内に含まれると見なされる。より一般的には、当業者は、本明細書に説明される全てのパラメータ、寸法、材料、及び、構成の全ては例であり、実際のパラメータ、寸法、材料、及び／又は、構成は、本発明の教示が使用される具体的な用途に依存することを容易に理解するであろう。当業者は、通常の実験より多くを要することなく、本明細書に説明される本発明の具体的な実施形態の多数の均等物を認識又は確認することができるであろう。よって、上記の実施形態はあくまで例として提示され、本発明の実施形態は、特許請求の範囲及び均等物の範囲内において、具体的に説明及び請求されたものとは異なる態様又は方法で実施することができる。本開示の発明の実施形態は、本明細書に説明される個々の特徴、システム、物品、材料、キット（道具）、及び／又は、方法に向けられる。また、かかる特徴、システム、物品、材料、キット、及び／又は、方法が互いに矛盾しない場合、かかる特徴、システム、物品、材料、キット、及び／又は、方法のうちの２つ以上の任意の組み合わせは本開示の発明の範囲内に含まれる。
【図１】
2019518535.tif 000003
【図２】
2019518535.tif 000004
【図３】
2019518535.tif 000005
【図４】
2019518535.tif 000006
【図５】
2019518535.tif 000007
【図６】
2019518535.tif 000008
【図７】
2019518535.tif 000009
【図８】
2019518535.tif 000010
【国際調査報告】
2019518535.tif 000011
2019518535.tif 000012
2019518535.tif 000013